(57)【要約】【課題】低消費電力であり、且つ、尿量に応じた最適な洗浄水量で便器を洗浄することができる便器洗浄装置を提供する。【解決手段】便器と、便器へ洗浄水を供給する給水バルブと、便器へ排泄される尿流を検出するためのドップラセンサと、ドップラセンサのセンサ出力に基づいて尿流を検出して、給水バルブの開閉制御を行う制御部とを備えた便器洗浄装置において、制御部は、尿流を検出後、間欠的に前記尿流の検出動作を行う尿流検出手段と、尿流検出手段による尿流検出結果に基づいて尿流の継続状態を検出する尿流時間検出手段と、尿流時間検出手段の出力に応じて、洗浄水の量を設定する洗浄水量設定手段と、洗浄水量設定手段によって設定された量の洗浄水を便器内に供給する洗浄制御手段とを有する。【選択図】図２
2008025266.tif 000002
【特許請求の範囲】
【請求項１】
便器と、前記便器へ洗浄水を供給する給水バルブと、前記便器へ排泄される尿流を検出するためのドップラセンサと、前記ドップラセンサのセンサ出力に基づいて尿流を検出して、前記給水バルブの開閉制御を行う制御部と、を備えた便器洗浄装置において、
前記制御部は、
前記尿流を検出後、間欠的に前記尿流の検出動作を行う尿流検出手段と、
前記尿流検出手段による尿流検出結果に基づいて前記尿流の継続状態を検出する尿流時間検出手段と、
前記尿流時間検出手段の出力に応じて、前記洗浄水の量を設定する洗浄水量設定手段と、
前記洗浄水量設定手段によって設定された量の洗浄水を前記便器内に供給する洗浄制御手段とを有することを特徴とする便器洗浄装置。
【請求項２】
前記制御部は、
前記洗浄制御手段による前記便器内への洗浄水の供給頻度を検出する使用頻度出手段を有し、
前記洗浄水量設定手段は、
前記尿流の継続状態に加え、前記洗浄水の前記供給頻度を考慮して前記洗浄水の量を設定することを特徴とする請求項１に記載の便器洗浄装置。
【請求項３】
前記洗浄水量設定手段は、
前記尿流時間検出手段により検出する前記尿流の継続状態が長くなるにつれて、前記洗浄水の量を段階的に増量させる設定変更を行い、
前記設定変更は、前記尿流検出手段による間欠的な尿流の検出動作の動作タイミング毎に行うことを特徴とする請求項１又は請求項２に記載の便器洗浄装置。
【請求項４】
前記洗浄水量設定手段は、
前記尿流時間検出手段により、前記尿流が所定時間以上継続状態となったことを検出すると、前記洗浄水の量を最大値に設定することを特徴とする請求項１〜３のいずれか１項に記載の便器洗浄装置。
【請求項５】
前記制御部は、
前記センサ出力に含まれる定在波信号を用いて前記便器の使用者を検出する人体検出手段を有し、
前記尿流検出手段は、前記人体検出手段により前記使用者が検出されるまで、前記尿流の検出動作を停止することを特徴とする請求項１〜４のいずれか１項に記載の便器洗浄装置。
【発明の詳細な説明】
【技術分野】
【０００１】
本発明は、便器洗浄装置に関するものであり、特に、便器へ排泄される尿流を検出するためのドップラセンサを備え、ドップラセンサのセンサ出力に基づいて尿流を検出して、給水バルブの開閉制御を行う便器洗浄装置に関するものである。
【背景技術】
【０００２】
従来より、便器を使用する使用者や、使用者の尿流をセンサにより検出し、使用者が便器を使用した後に、便器へ自動的に洗浄水を供給することによって便器を洗浄する便器洗浄装置が広く知られている。
【０００３】
この種の便器洗浄装置として、便器へ排泄される尿流を検出するためのドップラセンサと、ドップラセンサのセンサ出力に基づいて尿流を検出して給水バルブの開閉制御を行う制御部とを備え、制御部によりドップラセンサのセンサ出力を常時監視する処理を行い、尿流を検出した時間に応じて給水バルブの開弁時間を変化させることにより、使用者の排尿量に応じた洗浄水量で便器洗浄を行う便器洗浄装置が考案されている（たとえば、特許文献１参照。）。
【０００４】
この便器洗浄装置では、ドップラセンサが電波（マイクロ波）を送信波として出力すると共に、この送信波が検出対象である人体や尿流等に反射した反射波を受信し、送信波と反射波とを混合（ミキシング）した信号をセンサ出力として制御部へ出力する。
【０００５】
制御部は、ドップラセンサから入力されたセンサ出力を用いて、送信波の周波数と反射波の周波数との差分を示すドップラ信号を生成し、このドップラ信号を所定のサンプリング周期でサンプリングして周波数演算処理を実行することによって、ドップラ信号の周波数成分を検出する。
【０００６】
そして、この制御部は、検出したドップラ信号の周波数成分が、尿流特有の周波数帯域であったときに尿流を検出したと判断し、尿流を検出した時間が長かった場合に給水バルブの開弁時間を延長させる制御を行う一方、尿流を検出した時間が短かった場合に給水バルブの開弁時間を短縮させる制御を行う。
【０００７】
このように、この便器洗浄装置では、周波数演算処理を継続して実行することによりセンサ出力を常時監視して尿流を検出し、尿流を検出した時間に応じて便器へ供給する洗浄水量を調整することによって、使用者の排尿量が少い場合には、比較的少量の洗浄水により便器洗浄を行うことができ節水に効果的であり、使用者の排尿量が多い場合には、排尿量に応じて洗浄水量を増量して便器洗浄を行うことができ衛生的であった。
【特許文献１】特開２００４−２９３１０３号公報
【発明の開示】
【発明が解決しようとする課題】
【０００８】
しかし、上記従来の便器洗浄装置は、尿流の有無にかかわらず、制御部が常時継続してドップラ信号をサンプリングして周波数演算を行うことにより、尿流を検出していたため、尿流を検出するために制御部が行う周波数演算処理が長時間化し、それに伴って制御部で消費される電力が増大するので、便器洗浄装置の消費電力を低減することが困難であった。
【課題を解決するための手段】
【０００９】
そこで、請求項１に係る本発明では、便器と、便器へ洗浄水を供給する給水バルブと、便器へ排泄される尿流を検出するためのドップラセンサと、ドップラセンサのセンサ出力に基づいて尿流を検出して、給水バルブの開閉制御を行う制御部とを備えた便器洗浄装置において、制御部は、尿流を検出後、間欠的に尿流の検出動作を行う尿流検出手段と、尿流検出手段による尿流検出結果に基づいて尿流の継続状態を検出する尿流時間検出手段と、尿流時間検出手段の出力に応じて、洗浄水の量を設定する洗浄水量設定手段と、洗浄水量設定手段によって設定された量の洗浄水を便器内に供給する洗浄制御手段とを有することを特徴とする。
【００１０】
また、請求項２に係る本発明では、請求項１に記載の便器洗浄装置において、制御部は、洗浄制御手段による便器内への洗浄水の供給頻度を検出する使用頻度出手段を有し、洗浄水量設定手段は、尿流の継続状態に加え、洗浄水の供給頻度を考慮して洗浄水の量を設定することを特徴とする。
【００１１】
また、請求項３に係る本発明では、請求項１又は請求項２に記載の便器洗浄装置において、洗浄水量設定手段は、尿流時間検出手段により検出する尿流の継続状態が長くなるにつれて、洗浄水の量を段階的に増量させる設定変更を行い、設定変更は、尿流検出手段による間欠的な尿流の検出動作の動作タイミング毎に行うことを特徴とする。
【００１２】
また、請求項４に係る本発明では、請求項１〜３のいずれか１項に記載の便器洗浄装置において、洗浄水量設定手段は、尿流時間検出手段により、尿流が所定時間以上継続状態となったことを検出すると、洗浄水の量を最大値に設定することを特徴とする。
【００１３】
また、請求項５に係る本発明では、請求項１〜４のいずれか１項に記載の便器洗浄装置において、制御部は、センサ出力に含まれる定在波信号を用いて便器の使用者を検出する人体検出手段を有し、尿流検出手段は、人体検出手段により使用者が検出されるまで、尿流の検出動作を停止することを特徴とする。
【発明の効果】
【００１４】
請求項１に係る本発明では、便器と、便器へ洗浄水を供給する給水バルブと、便器へ排泄される尿流を検出するためのドップラセンサと、ドップラセンサのセンサ出力に基づいて尿流を検出して、給水バルブの開閉制御を行う制御部とを備えた便器洗浄装置において、制御部は、尿流を検出後、間欠的に尿流の検出動作を行う尿流検出手段と、尿流検出手段による尿流検出結果に基づいて尿流の継続状態を検出する尿流時間検出手段と、尿流時間検出手段の出力に応じて、洗浄水の量を設定する洗浄水量設定手段と、洗浄水量設定手段によって設定された量の洗浄水を便器内に供給する洗浄制御手段とを有することを特徴とするため、制御部が尿流を検出してから、尿流の検出動作を間欠にさせることができ、これにより、制御部で消費される電力を低減することができるので、便器洗浄装置の消費電力を低減することができる。
【００１５】
また、請求項２に係る本発明では、請求項１に記載の便器洗浄装置において、制御部は、洗浄制御手段による便器内への洗浄水の供給頻度を検出する使用頻度出手段を有し、洗浄水量設定手段は、尿流の継続状態に加え、洗浄水の供給頻度を考慮して洗浄水の量を設定することを特徴とするため、便器に排泄される尿量と、便器の使用頻度に応じた最適な量の洗浄水により便器を洗浄することができるので、便器を清潔に保ちながら洗浄水を効果的に節水することができる。
【００１６】
また、請求項３に係る本発明では、請求項１又は請求項２に記載の便器洗浄装置において、洗浄水量設定手段は、尿流時間検出手段により検出する尿流の継続状態が長くなるにつれて、洗浄水の量を段階的に増量させる設定変更を行い、設定変更は、尿流検出手段による間欠的な尿流の検出動作の動作タイミング毎に行うことを特徴とするため、尿流検出手段による尿流の検出動作を間欠的にしか行わないにもかかわらず、排泄される尿量に応じた適切な洗浄水の量を設定することができるので、低消費電力でありながら、常に便器を衛生的に保つことができる。
【００１７】
また、請求項４に係る本発明では、請求項１〜３のいずれか１項に記載の便器洗浄装置において、洗浄水量設定手段は、尿流時間検出手段により、尿流が所定時間以上継続状態となったことを検出すると、洗浄水の量を最大値に設定することを特徴とするため、便器に排泄される尿量が多い場合であっても、便器内の尿を確実に洗い流すことができるので、便器を常に衛生的に保つことができる。
【００１８】
また、請求項５に係る本発明では、請求項１〜４のいずれか１項に記載の便器洗浄装置において、制御部は、センサ出力に含まれる定在波信号を用いて便器の使用者を検出する人体検出手段を有し、尿流検出手段は、人体検出手段により使用者が検出されるまで、尿流の検出動作を停止することを特徴とするため、制御部が尿流の検出動作を行う時間をさらに短縮することができるので、便器洗浄装置の消費電力をより一層低減することができる。
【発明を実施するための最良の形態】
【００１９】
本発明に係る便器洗浄装置は、便器と、この便器へ洗浄水を供給する給水バルブと、便器へ排泄される尿流を検出するためのドップラセンサと、このドップラセンサのセンサ出力に基づいて尿流を検出して、給水バルブの開閉制御を行う制御部とを備えている。
【００２０】
ドップラセンサとしては、マイクロ波を用いたマイクロ波ドップラセンサのほか、超音波を用いた超音波ドップラセンサなどがある。本実施形態においては、マイクロ波ドップラセンサを例に挙げて以下説明する。
【００２１】
マイクロ波ドップラセンサは、送信波としてマイクロ波を送信する送信手段と、その反射波を受信する受信手段と、送信波と反射波とを混合（ミキシング）するミキサ手段とを備えている。
【００２２】
ミキサ手段は、送信信号と受信信号とを合成してセンサ出力とするものである。このセンサ出力には、後述する定在波信号とドップラ信号とが含まれている。定在波信号は、対象物との距離（対象物の位置）を表すものであり、ドップラ信号は対象物の動きを表すものである。
【００２３】
便器洗浄装置の制御部は、ドップラセンサのセンサ出力に含まれるドップラ信号を用いて尿流を検出すると共に、尿流を検出した後に、所定時間間隔を開けて間欠的に尿流の検出動作（以下、「尿流検出動作」という。）を行う尿流検出手段を備えている。
【００２４】
また、この制御部は、尿流検出手段による尿流検出結果に基づいて尿流の有無や尿流が継続している時間を含む尿流の継続状態を検出する尿流時間検出手段と、この尿流時間検出手段により検出した尿流の継続状態に応じた洗浄水の水量を設定する洗浄水量設定手段とを備えている。なお、この洗浄水量設定手段は、設定する洗浄水量に関する情報を記憶可能な記憶手段を備えている。
【００２５】
さらに、この制御部は、便器の使用者が排尿を終了して便器から離反した後に、洗浄水量設定手段によって設定された量の洗浄水を便器に供給する制御を行う洗浄制御手段を備えている。
【００２６】
このように便器洗浄装置が構成されているため、便器洗浄装置の消費電力を低減することができる。すなわち、この便器洗浄装置の制御部が備える尿流検出手段は、尿流を検出すると、その尿流検出動作を停止して、所定時間が経過した後に、再度尿流検出動作を所定時間に限り再開するという間欠的な尿流検出動作を尿流が検出されている間繰り返すように構成している。
【００２７】
そのため、この便器洗浄装置は、常時尿流検出動作を継続して行う従来の便器洗浄装置と比較して、制御部が尿流検出のための演算処理を行う時間を短縮することができ、これにより、制御部で消費される電力を低減することができるので、便器洗浄装置の消費電力を低減することができるのである。
【００２８】
また、制御部は、洗浄制御手段による便器内への洗浄水の供給頻度を検出する洗浄水供給頻度検出手段を備えている。
【００２９】
この洗浄水供給頻度検出手段は、使用者が排尿した後に洗浄水による便器洗浄を行ってから、次の使用者の排尿後に便器洗浄を行うまでの時間を計測することにより、洗浄水の供給頻度を検出する。
【００３０】
また、この洗浄水供給頻度検出手段は、後述の人体検出手段により、使用者が排尿後に便器から離反したことを検出してから、次の使用者が排尿のために便器へ近付いたことを検出するまでの時間を計測することにより、便器の使用頻度を検出し、この使用頻度に基づいて、洗浄水の供給頻度を間接的に検出するように構成することもできる。
【００３１】
そして、洗浄水量設定手段は、上記した尿流の継続状態に加え、洗浄水供給頻度検出手段により検出した洗浄水の供給頻度を考慮して洗浄水の量を設定することもできる。
【００３２】
このように洗浄水の量を設定することにより、尿流の継続状態に基づいて便器に排泄される尿量を推測し、洗浄水の供給頻度に基づいて便器の汚れ具合を推測することができるので、最適な量の洗浄水により便器を洗浄することができ、便器を清潔に保ちながら洗浄水を効果的に節水することができる。
【００３３】
すなわち、尿量の推測結果だけに基づいて便器の汚れ度合いを推測したとしても、便器が汚れる要因は尿量だけに依存するものではないので、他の要因についても考慮することが望まれるが、本実施形態の便器洗浄装置では、上記のように、尿流の継続状態から尿量を検出するだけでなく、洗浄水の供給頻度から便器の使用頻度を検出し、これらの両者を考慮して洗浄水の量を設定するため、便器を清潔に保ちながら洗浄水を効果的に節水することができるのである
ここで、尿流検出手段は、尿流の継続状態と洗浄水の供給頻度との両方を考慮して間欠的に尿流検出動作を実施するように構成している。
【００３４】
すなわち、この尿流検出手段は、尿流検出動作により尿流を最初に検出した後に前記尿流検出動作を一度停止させ、尿流の継続時間が洗浄水量の設定を切り替える時間に達した時に、再度一定時間の尿流検出動作を行い、尿流の検出が継続しているかどうかの確認を行う。
【００３５】
こうすることによって、尿流検出動作を停止している時間が長くなり、その分、制御部が尿流検出動作を行うために消費する電力を低減することができる。なお、尿流検出手段の尿流検出動作に関して、尿流の継続状態又は洗浄水の供給頻度のいずれか一方だけを考慮して、間欠的な尿流検出動作を行わせるように構成してもよい。
【００３６】
また、洗浄水量設定手段は、尿流時間検出手段により検出した尿量の継続状態（尿流の継続時間）が長くなるにつれて、排泄された尿量が多いと推測し、洗浄水の量を段階的に増量させる設定変更を行うようにしている。
【００３７】
これにより、排泄された尿量に応じた最適な量の洗浄水により便器を洗浄することができるので、尿量が少ない場合には、洗浄水を節水することができ、尿量が多い場合であっても、便器内の尿を確実に洗浄することができる。
【００３８】
特に、この設定変更は、尿流検出手段による間欠的な尿流検出動作の動作タイミング毎に行うようにしている。すなわち、この洗浄水量設定手段は、尿流検出手段による前回の尿流検出動作によって尿流が検出された後、排尿が継続していて、次回の尿流検出動作によっても再度尿流が検出されると、この再度尿流が検出されたタイミングで、洗浄水の量を増量させる設定変更を行うのである。
【００３９】
洗浄水量設定手段がこのような洗浄水量の設定変更を行うため、尿流検出手段による尿流検出動作を間欠的にしか行わないにもかかわらず、排泄される尿量に応じて適切な洗浄水の量を設定することができるので、低消費電力でありながら、常に便器を衛生的に保つことができる。
【００４０】
しかも、この洗浄水量設定手段は、尿流時間検出手段によって、尿流が所定時間以上継続状態となったことを検出すると、洗浄水の水量を最大値に設定するようにしている。
【００４１】
すなわち、尿流時間検出手段による尿流検出時間が、予め設定された最大時間を超えると、洗浄水量設定手段が、予め用意している複数段階の洗浄水量のうちの最大水量を設定し、その後は、尿流検出時間がさらに延びても、洗浄水の量を増量させる設定変更は行わない。
【００４２】
これにより、尿量が多い場合であっても、便器内の尿を確実に洗浄することができ、しかも、一回の便器洗浄で使用する洗浄水の量に上限を設けているので、無駄に大量の洗浄水を使用して便器洗浄することがなく、節水に効果的である。
【００４３】
また、この便器洗浄装置の制御部は、ドップラセンサのセンサ出力に含まれる定在波信号を用いて、便器の使用者の有無を検出する人体検出手段を備えている。
【００４４】
そして、尿流検出手段は、この人体検出手段が使用者の存在を検出するまでの間、尿流検出動作を停止し、人体検出手段が使用者の存在を検出したことを契機として、上記した間欠的な尿流検出動作を開始するようにしている。
【００４５】
これにより、制御部で消費される電力をさらに低減することができる。すなわち、定在波の検出は、ドップラ信号の検出に比べてその処理負荷が小さいため、所定の範囲内に使用者が入るまでは、使用者の検出を定在波信号に基づいて行うことによって、便器洗浄装置の消費電力を低減するのである。
【００４６】
また、定在波信号に基づいて使用者を検出したとき、すなわちドップラセンサから所定の範囲内に使用者が入った後は、ドップラ信号に基づいて尿流の検出を行うので、従来の便器洗浄装置が持つ尿流検出精度を保つことができるのである。
【００４７】
以下、本発明に係る便器洗浄装置の一実施形態について、図面を参照して具体的に説明する。なお、以下の説明では、便器洗浄装置の一例として小便器洗浄装置を例に挙げて説明する。
【００４８】
図１は、小便器洗浄装置の外観斜視図であり、図２は、小便器洗浄装置の電気的構成を示す機能ブロック図であり、図３は、小便器洗浄装置による人体検出及び尿流検出を示すタイミングチャートであり、図４は、小便器の使用頻度と尿流検出時間と洗浄水量との関係を示す説明図であり、図５〜図７は、小便器洗浄装置の制御部が行う処理を示すフローチャートである。
【００４９】
図１に示すように、本実施形態の小便器洗浄装置１は、小便器２と、給水管３の中途部に設けられ、小便器２へ洗浄水を供給する給水バルブ４と、小便器のボール部内の汚水を排水する排水管（図示略）と、小便器２周辺の対象物を検出するマイクロ波ドップラセンサ（以下、「ドップラセンサ５」という。）と、ドップラセンサ５からのセンサ出力に基づいて、給水バルブ４を開閉して小便器２の自動洗浄を行う制御部とを備えている。
【００５０】
特に、この制御部は、ドップラセンサ５からのセンサ出力に基づいて、使用者の有無を検出する人体検出、や使用者による排尿を検出する尿流検出を行い、この人体検出や尿流検出の結果に基づいて、小便器２の使用頻度及び小便器２に排泄された尿量を判別し、この判別結果に応じて洗浄水の量を設定する。なお、図中の符号Ｍはドップラセンサ５から出力される電波によるマイクロ波（以下、「送信波Ｍ」という。）であり、給水バルブ４は、電磁弁などから構成される。
【００５１】
ここで、小便器洗浄装置１の電気的構成について、図２を参照して説明する。
【００５２】
まず、小便器洗浄装置１が備えるドップラセンサ５について説明する。図２に示すように、ドップラセンサ５は、検出対象である人体や尿流へ向けて送信波Ｍを出力する送信手段７と、送信波Ｍが検出対象に反射した反射波ｍを受信する受信手段８と、送信手段７により送信した送信波Ｍと受信手段により受信した反射波ｍとを混合（ミキシング）するミキサ手段９とを備えている。
【００５３】
そして、このドップラセンサ５は、図１に示したように、小便器２の上部背面側に配置され、送信手段７から小便器２のボール部を含む斜め下前方へ向けて送信波Ｍを出力すると共に、この送信波Ｍの反射波ｍを受信手段８により受信する。
【００５４】
その後、このドップラセンサ５は、これら送信波Ｍと反射波ｍとをミキサ手段９によりミキシングしたセンサ出力を制御部６へ出力する。
【００５５】
そして、このドップラセンサ５は、小便器２に人体が近づいてきたこと（人体近接）や小便器２から人体が遠ざかったこと（人体離反）のほか、小便器２のボール部へ排尿されていること（尿流）を検出するために用いられる。
【００５６】
ここでは、送信手段７から出力する送信波Ｍとして、１０．５２５ＧＨｚの電波信号を用いている。
【００５７】
次に、小便器洗浄装置１の制御部６について具体的に説明する。この制御部６は、ドップラセンサ５から入力されるセンサ出力から定在波信号を検出する定在波検出手段１０と、定在波検出手段により検出した定在波信号を用いて人体を検出する人体検出手段１１と、ドップラセンサ５から入力されるセンサ出力からドップラー信号を検出する周波数フィルタ手段１２と、周波数フィルタ手段１２により検出したドップラ信号を用いて尿流を検出する尿流検出手段１３とを備えてる。
【００５８】
また、この制御部６は、人体検出手段１１により人体が検出されなくなってから次に人体が検出されるまでの時間を計測することにより、小便器２の使用頻度を検出し、この使用頻度により間接的に洗浄水の供給頻度を検出する使用頻度検出手段１４と、尿流検出手段１３により尿流を検出している時間（以下、「尿流検出時間」という。）を計測する尿流時間検出手段１５とを備えている。
【００５９】
さらに、制御部６は、人体検出手段１１による人体の検出結果と、使用頻度検出手段１４による小便器２の使用頻度の検出結果と、尿流検出手段１３による尿流の検出結果と、尿流時間検出手段１５による尿流検出時間の検出結果とに基づいて、小便器２の洗浄に用いる洗浄水の量を設定する洗浄水量設定手段１６と、洗浄水量設定手段１６により設定された量の洗浄水を小便器２へ供給するように給水バルブ４の開閉制御を行う洗浄制御手段１７とを備えている。なお、本実施形態において、これら定在波検出手段１０、人体検出手段１１、フィルタ手段１２、尿流検出手段１３、使用頻度検出手段１４、尿流時間検出手段１５、洗浄水量設定手段１６、洗浄制御手段１７は、マイクロコンピュータにより構成されている。
【００６０】
定在波検出手段１０は、ドップラセンサ５から入力されるセンサ出力から定在波信号を演出するものであり、ローパスフィルタ回路（交流成分除去回路）、位相シフト回路、全波整流回路、加算回路などから構成される。
【００６１】
センサ出力は、定在波信号である直流成分とドップラ信号である交流成分から構成されており、定在波検出手段１０のローパスフィルタ回路によってドップラ信号成分を除去することによって定在波信号が抽出される。すなわち、センサ出力から交流成分を除去するのである。
【００６２】
この定在波信号は、ドップラセンサ５と検出対象物（人体又は尿流）との距離に応じてそのレベルが変化する。すなわち、定在波信号の電圧レベルは、ドップラセンサ５から検出対象物までの距離が近いほど大きくなっていく。
【００６３】
そして、この定在波検出手段１０は、人体検出用の定在波信号を生成する際に、まず、定在波検出手段１０のローパスフィルタ回路から出力される定在波信号の位相をシフトした信号をシフト回路によって生成する。
【００６４】
次に、定在波検出手段１０は、このように位相がシフトされた定在波信号を全波整流回路によって全波整流すると共に、定在波検出手段１０のローパスフィルタ回路からを出力される位相シフトされていない定在波信号を全波整流回路で全波整流する。
【００６５】
その後、定在波検出手段１０は、このように全波整流した２つの定在波信号を加算回路によって加算して定在波合成信号を生成し、この定在波合成信号を人体検出用の定在波信号として人体検出手段１１へ出力する。
【００６６】
人体検出手段１１は、定在波検出手段１０から入力される人体検出用の定在波信号を用いて、小便器２を使用する使用者（人体）の有無を検出するものである。
【００６７】
すなわち、この定在波検出手段１０によって生成された定在波信号は、ドップラセンサ５と検出対象物である人体との距離に応じた電圧レベルの信号となることから、人体検出手段１１は、この電圧レベルを検出することにより、ドップラセンサ５と人体との距離を検出することができる。
【００６８】
そのため、人体検出手段１１は、定在波検出手段１０から入力される定在波信号の電圧レベルと、予め設定した所定の閾値とを比較する演算処理を行い、定在波信号の電圧レベルが設定した閾値よりも大きい場合に、使用者が存在すると判断することができる。
【００６９】
そして、この人体検出手段１１は、使用者の存在を検出すると、その旨を示す人体検出信号を洗浄水量設定手段１６と使用頻度検出手段１４とへ出力する。
【００７０】
このように、人体検出手段１１は、人体検出用の定在波信号の電圧レベルと閾値とを比較する演算処理を行うだけで、人体の有無を検出することができるので、人体検出を行うための処理が短くて済む。
【００７１】
従って、ドップラ信号に基づいて人体検出を行うことに比べ、人体検出を行うための処理が軽減され、その分、小便器洗浄装置１の消費電力を低減することができる。
【００７２】
すなわち、ドップラ信号に基づく人体検出では、ドップラ信号が周波数５０Ｈｚ以下の交流信号であることを検出する必要があるため、その尿流検出処理には必然的に時間を要してしまう。例えば、５０Ｈｚのドップラ信号を検出するためには、少なくとも２０ｍｓを越える時間を要してしまう。
【００７３】
しかし、定在波信号に基づく人体検出では、人体検出用の定在波信号の電圧レベルを検出するだけでよいため、短時間（例えば、１ｍｓ）で人体検出が可能となる。
【００７４】
そのため、人体検出手段１１により所定間隔（例えば、１ｓｅｃ）で人体検出を行い、人体が検出されていないとき、すなわち、排尿が行われることのない間、ドップラセンサ５の尿流検出動作を停止させておくことにより、小便器洗浄装置１の消費電力を低減することができる。
【００７５】
使用頻度検出手段１４は、人体検出手段１１から入力される人体検出信号に基づいて、小便器２の使用頻度を検出するタイマ（以下、「使用頻度計測タイマ」という。）である。
【００７６】
すなわち、この使用頻度検出手段１４は、人体検出信号が入力されなくなった時点から、次に人体検出信号が入力されるまでの時間を計測するものであり、この小便器２が使用されていない時間を計測することによって、小便器２の使用頻度を検出すると共に、検出した使用頻度により、小便器２へ洗浄水を供給する頻度（洗浄水の供給頻度）を間接的に検出する洗浄水供給頻度検出手段として機能するものである。
【００７７】
そして、この使用頻度検出手段１４は、検出した小便器２の使用頻度を示す信号を洗浄水量設定手段１６へ出力する。
【００７８】
周波数フィルタ手段１２は、ドップラセンサ５から入力されるセンサ出力の周波数成分のうち、尿流検出に不要な周波数帯域（１００Ｈｚ〜１８０Ｈｚ以外の周波数帯域）を除去するバンドパスフィルタであり、この周波数フィルタ手段１２により尿流検出用のドップラ信号を抽出する。
【００７９】
ここで、周波数フィルタ手段１２は、ドップラセンサ５から入力されるセンサ出力をＡ／Ｄ変換してデジタル信号とした後、マイクロコンピュータによるデジタルフィルタ処理を行うことによって、尿流検出用のドップラ信号を抽出する。そして、このように検出された尿流件検出用のドップラ信号は、尿流検出手段１３に入力される。
【００８０】
尿流検出手段１３は、フィルタ手段１２から入力されるドップラ信号を用いて小便器２へ排泄される尿流を検出するものである。
【００８１】
ここで、ドップラセンサ５のセンサ出力に含まれるドップラ信号による検出対象物（尿流）の動き検出について、説明する。検出対象物の動きは、以下の式（１）の関係からその検出を行うものである。
【００８２】
基本式：ΔＦ＝ＦＳ―Ｆｂ＝２×ＦＳ×ν／ｃ  ・・・（１）
ΔＦ：ドップラ  周波数（センサ出力Ｓｉｇ３に含まれるドップラ信号の周波数）
ＦＳ：送信周波数（送信信号Ｓｉｇ１の周波数）
Ｆｂ：反射周波数（受信信号Ｓｉｇ２の周波数）
ν：検出対象物の移動速度
ｃ：光速（３００×１０６  ｍ／ｓ）
すなわち、送信手段７から出力された周波数ＦＳの送信波Ｍは、速度νで移動している検出対象物に反射する。この反射波ｍは、相対運動によるドップラ周波数シフトを受けているためその周波数はＦｂとなり、受信手段８によって受信される。
【００８３】
そして、送信波と受信波とをミキシングした信号から周波数フィルタ手段１２によって高周波成分を除去することによってセンサ出力からドップラ周波数ΔＦを抽出する。
【００８４】
そして、周波数フィルタ手段１２によって尿流検出のための周波数帯域（１００Ｈｚ〜１８０Ｈｚ）を持つドップラ信号抽出し、このドップラ信号を用いて尿流検出手段１３が尿流の検出を行う。
【００８５】
尿流検出手段１３は、周波数フィルタ手段１２から入力されるドップラ信号を所定のサンプリング周期によりサンプリングすることによって、ドップラ信号の周波数を解析する周波数演算処理を行う。
【００８６】
そして、この尿流検出手段１３は、周波数演算処理により得た周波数が尿流特有の周波数である場合に、尿流を検出したことを示す尿流検出信号を洗浄水量設定手段１６と尿流時間検出手段１５とへ出力するものであり、尿流検出手段として機能するものである。
【００８７】
ところで、尿流検出手段１３により常時尿流の検出を行うと、制御部６での電力の消費が大きくなってしまう。これは、上記したように、ドップラ信号の周波数演算処理が、定在波信号を用いた人体検出のための処理よりも長い時間と大きな電力を要するためである。
【００８８】
そこで、本実施形態の小便器洗浄装置１が備える尿流検出手段１３は、周波数演算処理という尿流検出動作を常時行うのではなく、間欠的に行うことにより、制御部６によって消費する電力を低減させるようにしている。
【００８９】
すなわち、この小便器洗浄装置１では、図３に示すように、比較的に消費電力の小さい人体検出手段１１により、定在波信号を用いて常時小便器２の使用者を検出する人体検出を行っておき、人体検出手段１１により人体の存在が検出されるまでの間、尿流検出手段１３は尿流検出動作を行わないようにしている。
【００９０】
ここでは、定在波信号による人体検出が常にＯＮ状態となっているが、これは、人体検出手段１１が定在波信号の信号レベルと所定の閾値とを比較する演算所を１秒間に１度間欠的に行っていることを示している。
【００９１】
そして、この人体検出中に人体検出手段１１が使用者の存在を検出すると、尿流検出手段１３は、ドップラ信号を用いた尿流検出動作を開始し、この尿流検出動作により尿流の検出が確定すると、尿流検出動作を所定時間停止する。
【００９２】
ここで、尿流検出手段１３は、尿流検出動作により、尿流検知が確定してから時間Ｔ１の間尿流検出動作を停止する。なお、この時間Ｔ１は、後述の尿流時間検出手段１５により計測する。
【００９３】
その後、尿流検出手段１３は、尿流検出動作を停止してから時間Ｔ１が経過すると、尿流検出動作を停止していた時間に比べて非常に短い一定時間のみ再度尿流検出動作を行う。このとき、尿流検出手段１３により、依然排尿が継続していることが検出されると、後述の洗浄水量設定手段が洗浄水の量を増量する設定変更を行う。
【００９４】
そして、尿流検出手段１３は、この一定時間のみの尿流検出動作を行った後、尿流検出動作を停止し、尿流検知が確定した時点から時間Ｔ２が経過すると、上記一定時間のみの尿流検出動作を行う。このとき、尿流検出手段１３により、依然排尿が継続していることが検出されると、洗浄水量設定手段が洗浄水の量をさらに増量する設定変更を行う。
【００９５】
そして、尿流検出手段１３は、その後、この一定時間のみの尿流検出動作を尿流が検出されなくなるまで、所定時間間隔を開けて間欠的に行うようにしている。
【００９６】
そのため、この小便器洗浄装置１では、ドップラ信号を用いた尿流検出動作という制御部６に大きな処理負荷がかかる演算処理の時間を大幅に短縮することができ、これにより小便器洗浄装置１の消費電力を低減することができる。
【００９７】
尿流時間検出手段１５は、尿流検出手段１３から入力される尿流検出信号に基づいて、使用者の排尿時間を検出するタイマ（以下、「尿流時間計測タイマ」という。）である。
【００９８】
すなわち、この尿流時間検出手段１５は、尿流検出手段１３が尿流を検出した時点から尿流を検出しなくなるまでの時間（尿流検出時間）を計測することによって、尿流の継続状態を検出するものである。
【００９９】
そして、この尿流時間検出手段１５は、検出した尿流の継続状態を示す信号を洗浄水量設定手段１６へ出力する。
【０１００】
洗浄水量設定手段１６は、便器洗浄を行う際に小便器２へ供給する洗浄水量の設定情報を記憶する記憶手段（図示略）を備えている。
【０１０１】
そして、この洗浄水量設定手段１６は、人体検出手段１１から入力される人体検出信号と、使用頻度検出手段１４から入力される使用頻度を示す信号と、尿流検出手段１３から入力される尿流検出信号と、尿流時間検出手段１５から入力される尿流の継続状態を示す信号とに基づいて、洗浄水の量を増減させる設定変更を行うものであり、この設定変更を行う度に、洗浄水量の設定情報を記憶手段に記憶させる。
【０１０２】
特に、この洗浄水量設定手段１６は、尿流検出手段１３が尿流検出動作を行った結果、依然排尿が継続していることが検出されたときに、洗浄水量の設定変更を行うようにしており、尿流検出動作の動作タイミングに従って洗浄水量の設定変更を行う。
【０１０３】
洗浄制御手段１７は、人体検出手段１１により使用者の存在が検出されなくなった後に、給水バルブ４の開閉制御を行うことにより、洗浄水量設定手段１６により設定された量の洗浄水を小便器２へ供給するものである。
【０１０４】
このように制御部６を構成することにより、本実施形態の小便器洗浄装置１は、尿流の継続状態と小便器２の使用頻度を考慮した最適な量の洗浄水により便器洗浄を行う。
【０１０５】
すなわち、この小便器洗浄装置１では、図４に示すように、尿流検出時間が比較的短く、且つ、小便器２の使用頻度が比較的高い場合いは、小便器２の汚れ度合いが低いものとして、比較的少ない１リットルの洗浄水により小便器２を洗浄するようにしている。
【０１０６】
そして、尿流検出時間が比較的長く、且つ、小便器２の使用頻度が標準的な場合には、小便器２の汚れ度合いが標準的であるとして、標準的な２．５リットルの洗浄水により小便器２を洗浄するようにしている。
【０１０７】
また、尿流検出時間が比較的長く、且つ、小便器２の使用頻度が比較的高い場合には、小便器２の汚れ度合いが高いものとして、最大量である４リットルの洗浄水により小便器２を洗浄するようにしている。
【０１０８】
このように、本実施形態の小便器洗浄装置１では、尿流の継続状態と小便器２の使用頻度を考慮した最適な量の洗浄水により便器洗浄を行うので、小便器２の汚れ度合いに応じて洗浄水量の設定を変更することができる。
【０１０９】
そのため、小便器２の汚れ度合いが低い場合には、便器洗浄のために必要な最小限の量の洗浄水により便器洗浄を行うことができ、節水に効果的である。
【０１１０】
また、小便器２の汚れ度合いが高い場合には、最大量の洗浄水により便器洗浄を行うことができ、いつも小便器を衛生的に保つことができる。
【０１１１】
以下、この小便器洗浄装置１の制御部６が最適な量の洗浄水により便器洗浄を行う際に実行する処理について、図５〜図７に示すフローチャートを参照して具体的に説明する。
【０１１２】
制御部６は、電源が投入されると、図５に示すように、まず、人体検出手段１１が定在波信号により人体検出したか否かの判断を行う（ステップＳ１）。
【０１１３】
ここで制御部６は、人体検出したと判断した場合に処理をステップＳ２へ移し、人体検出をしていないと判断した場合に、人体検出をするまでステップＳ１の処理を繰り返し行う。
【０１１４】
次に、ステップＳ２において制御部６は、小便器２の前回の使用者が小便器２から離反したときにスタートさせた使用頻度計測タイマを停止させる処理を行い、その後、処理をステップＳ３へ移す。なお、フローチャート中の記号（Ｔｘ）は、使用頻度計測タイマのカウント値を示すものである。
【０１１５】
次に、ステップＳ３において制御部６は、尿流検出手段１３に尿流検出動作を開始させる処理を行い、その後、処理をステップＳ４へ移す。
【０１１６】
次に、ステップＳ４において制御部６は、尿流検出手段１３がドップラ信号により尿流検出が確定したか否かの判断を行い、尿流検出が確定したと判断した場合に処理をステップＳ５へ移し、尿流検出が確定していないと判断した場合に処理をステップＳ６へ移す。
【０１１７】
ステップＳ５において制御部６は、尿流検出手段１３による尿流検出動作を停止させる処理を行い、その後、処理を図６に示すステップＳ７へ移す。
【０１１８】
また、ステップＳ６において制御部６は、人体検出手段１１が定在波信号により人体検出したか否かの判断を行い、人体検出したと判断した場合に、処理をステップＳ４へ移し、人体検出していないと判断した場合に、処理をステップＳ２０へ移す。
【０１１９】
ステップＳ２０において制御部６は、ステップＳ２の処理で停止させた使用頻度計測タイマを再度スタートさせる処理を行い、その後、処理をステップＳ１へ移す。
【０１２０】
次に制御部６は、図７に示すように、尿流検出タイマをスタートさせる処理を行い、その後、処理をステップＳ８へ移す。なお、フローチャート中の記号（ｔ）は、尿流検出タイマのカウント値を示すものである。
【０１２１】
次に、ステップＳ８において制御部６は、洗浄水量設定手段１６による洗浄水量設定処理を行い、その後、処理をステップＳ９へ移す。この洗浄水量設定処理については、後に図７を参照して具体的に説明する。
【０１２２】
次に、ステップＳ９において制御部６は、尿流検出タイマのカウント値（ｔ）が後述する洗浄水量設定処理により設定された値（Ｔ）以上であるか否かの判断を行い、（Ｔ）以上であると判断した場合に処理をステップＳ１１へ移し、（Ｔ）以上でないと判断した場合に処理をステップＳ１０へ移す。
【０１２３】
ステップＳ１０において制御部６は、人体検出手段１１が定在波信号によりまだ人体検出しているか否かの判断を行い、まだ人体検出していると判断した場合に処理をステップＳ９へ移し、もう人体検出していないと判断した場合に処理をステップＳ１５へ移す。
【０１２４】
次に、ステップＳ１１において制御部６は、尿流検出手段１３に所定時間のみの尿流検出動作をさせる処理を行い、その後、処理をステップＳ１２へ移す。
【０１２５】
次に、ステップＳ１２において制御部６は、所定時間のみの尿流検知動作中に、ドップラ信号により尿流検出したか否かの判断を行い、尿流検出下と判断した場合に処理をステップＳ１３へ移し、尿流検出していないと判断した場合に処理をステップＳ１４へ移す。
【０１２６】
ステップＳ１３において制御部６は、（Ｔ）が後述する洗浄水量設定処理により設定された最大値（ＴＭＡＸ）であるか否かの判断を行い、（Ｔ）＝（ＴＭＡＸ）であると判断した場合に処理をステップＳ１４へ移し、（Ｔ）＝（ＴＭＡＸ）でないと判断した場合に処理をステップＳ８へ移す。
【０１２７】
次に、ステップＳ１４において制御部６は、人体検出手段１１が定在波信号によりまだ人体検出しているか否かの判断を行う。
【０１２８】
ここで制御部６は、まだ人体検出していると判断した場合に、人体検出をしなくなるまでの間このステップＳ１４の処理を繰り返し行い、もう人体検出していないと判断した場合に処理をステップＳ１５へ移す。
【０１２９】
次に、ステップＳ１５において制御部６は、（ｔ）が３秒間以上であるか否かの判断を行い、３秒間以上であると判断した場合に処理をステップＳ１６へ移し、３秒間以上でないと判断した場合に処理をステップＳ１８へ移す。
【０１３０】
次に、ステップＳ１６において制御部６は、洗浄制御手段１７に給水バルブ４の開閉制御行わせることにより、小便器２へ洗浄水を供給する便器洗浄処理を行い、その後、処理をステップＳ１７へ移す。
【０１３１】
次に、ステップＳ１７において制御部６は、使用頻度計測タイマをリセットする処理を行い、その後、処理をステップＳ１８へ移す。
【０１３２】
ステップＳ１８において制御部６は、尿流検出タイマをリセットする処理を行い、その後、再度使用頻度計測タイマをスタートさせる処理を行う（ステップＳ１９）。
【０１３３】
そして、小便器洗浄装置１の制御部６は、電源が投入されている間、これらステップＳ１〜Ｓ１９の処理を繰り返し実行するようにしている。
【０１３４】
次に、図７に示すフローチャートを参照して、制御部６が行う洗浄水量設定処理について具体的に説明する。
【０１３５】
この洗浄水量設定処理において制御部６は、図７に示すように、まず、使用頻度検出手段１４により使用頻度計測タイマのカウント値（Ｔｘ）が、予め定めた使用頻度の閾値（ＴA）よりも小さいか否かの判断を行う（ステップS２１）。
【０１３６】
ここで、制御部６は、使用頻度検出手段１４により（Ｔｘ）＜（ＴA）であると判断した場合に、使用頻度が高いものとして処理をステップＳ３１へ移し、（Ｔｘ）＜（ＴA）でないと判断した場合に、使用頻度が低いものとして処理をステップＳ２２へ移す。
【０１３７】
ステップＳ２２において制御部６は、（ＴＭＡＸ）として（Ｔ２）という値を設定する処理を行い、その後、処理をステップＳ２３へ移す。
【０１３８】
次に制御部６は、尿流時間検出手段１５により（ｔ）が（Ｔ２）よりも小さい（Ｔ１）という値よりも小さいか否かの判断を行い、（ｔ）＜（Ｔ１）であると判断した場合に処理をステップＳ２４へ移し、（ｔ）＜（Ｔ１）でないと判断した場合に処理をステップＳ２６へ移す。
【０１３９】
ステップＳ２４において制御部６は、尿流検出動作の動作間隔を決定するための値（Ｔ）として（Ｔ１）という値を設定する処理を行い、その後、処理をステップＳ２５へ移す。
【０１４０】
次に、ステップＳ２５において制御部６は、洗浄水量設定手段１６により洗浄水の量として最も少量である（ｂ１）という値（ここでは、１リットル）を記憶手段に設定する処理を行い、その後、図６に示す処理をステップＳ９へ移す。
【０１４１】
ここで洗浄水量設定手段１６により設定される値は、上記のように、小便器２の使用頻度（洗浄水量の供給頻度）と尿量検出時間（尿流の継続状態）とに基づいて設定されるものである。
【０１４２】
また、ステップＳ２６において制御部６は、尿流時間検出手段１５により（Ｔ１）≦（ｔ）＜（Ｔ２）であるか否かの判断を行い、（Ｔ１）≦（ｔ）＜（Ｔ２）であると判断した場合に処理をステップＳ２７へ移し、（Ｔ１）≦（ｔ）＜（Ｔ２）でないと判断した場合に処理をステップＳ２９へ移す。
【０１４３】
ステップＳ２７において制御部６は、（Ｔ）として（Ｔ２）という値を設定する処理を行い、その後、処理をステップＳ２５へ移す。
【０１４４】
次に、ステップＳ２８において制御部６は、洗浄水量設定手段１６により洗浄水の量として標準的な量である（ｂ２）という値（ここでは、２．５リットル）を記憶手段に設定する処理を行い、その後、図６に示す処理をステップＳ９へ移す。
【０１４５】
また、ステップＳ２９において制御部６は、（Ｔ）として最大値である（ＴＭＡＸ）という値を設定する処理を行い、その後、処理をステップＳ３０へ移す。
【０１４６】
そして、ステップＳ３０において制御部６は、洗浄水量設定手段１６により洗浄水の量として最大量である（ｂ３）という値（ここでは、４リットル）を記憶手段に設定する処理を行い、その後、図６に示す処理をステップＳ９へ移す。
【０１４７】
また、ステップＳ３１において制御部６は、（ＴＭＡＸ）として（Ｔ２）よりも大きい（Ｔ４）という値を設定する処理を行い、その後、処理をステップＳ２２へ移す。
【０１４８】
次に、ステップＳ３２において制御部６は、尿流時間検出手段１５により（ｔ）が（Ｔ３）よりも小さいか否かの判断を行う。ここで、（Ｔ３）は、（Ｔ２）よりも大きく、且つ、（Ｔ４）よりも小さい値である。
【０１４９】
そして、制御部６は、尿流時間検出手段１５により（ｔ）＜（Ｔ３）であるとであると判断した場合に処理をステップＳ３３へ移し、（ｔ）＜（Ｔ１）でないと判断した場合に処理をステップＳ３５へ移す。
【０１５０】
ステップＳ３３において制御部６は、（Ｔ）として（Ｔ３）という値を設定する処理を行い、その後、処理をステップＳ３４へ移す。
【０１５１】
次に、ステップＳ３４において制御部６は、洗浄水量設定手段１６により洗浄水の量として最も少量である（ｂ１）という値（ここでは、１リットル）を記憶手段に設定する処理を行い、その後、図６に示す処理をステップＳ９へ移す。
【０１５２】
また、ステップＳ３５において制御部６は、尿流時間検出手段１５により（Ｔ３）≦（ｔ）＜（Ｔ４）であるか否かの判断を行い、（Ｔ３）≦（ｔ）＜（Ｔ４）であると判断した場合に処理をステップＳ３６へ移し、（Ｔ３）≦（ｔ）＜（Ｔ４）でないと判断した場合に処理をステップＳ３８へ移す。
【０１５３】
ステップＳ３６において制御部６は、（Ｔ）として（Ｔ４）という値を設定する処理を行い、その後、処理をステップＳ３７へ移す。
【０１５４】
次に、ステップＳ３７において制御部６は、洗浄水量設定手段１６により洗浄水の量として標準的な量である（ｂ２）という値（ここでは、２．５リットル）を記憶手段に設定する処理を行い、その後、図６に示す処理をステップＳ９へ移す。
【０１５５】
また、ステップＳ３８において制御部６は、（Ｔ）として最大値である（ＴＭＡＸ）という値を設定する処理を行い、その後、処理をステップＳ３９へ移す。
【０１５６】
そして、ステップＳ３９において制御部６は、洗浄水量設定手段１６により洗浄水の量として最大量である（ｂ３）という値（ここでは、４リットル）を記憶手段に設定する処理を行い、その後、図６に示す処理をステップＳ９へ移す。
【０１５７】
このような処理を制御部６が行うことにより、本実施形態の小便器洗浄装置１では、図４に示すような、使用頻度と尿流検出時間とに応じた最適な量の洗浄水により便器洗浄を行うことができる。
【０１５８】
また、上記実施形態では、使用頻度計測タイマのカウント値（ＴＸ）が予め設定した閾値ＴＡよりも小さいか否かによって、小便器２の使用頻度の高低を判断するように構成したが、本発明は、これに限定されるものではなく、段階的に大きくなる複数の閾値を設けてもよく、そうすることにより、使用頻度の高低がさらに細かく分割されることになるので、使用頻度に応じて洗浄水の量をより一層細やかに設定することができる。
【０１５９】
また、上記実施形態では、尿流検出動作の動作間隔を決定するための値（Ｔ）に関して、（Ｔ１）、（Ｔ２）、（Ｔ３）、（Ｔ４）という４段階の値を設け、洗浄水の量に関しても、（ｂ１）、（ｂ２）、（ｂ３）という３段階の設定値を設けるようにしているが、これらの値についても、その種類をさらに増加させてもよく、そうすることにより、尿流検出時間に応じて洗浄水の量をより一層細やかに設定することができる。
【図面の簡単な説明】
【０１６０】
【図１】小便器洗浄装置の外観斜視図である。
【図２】小便器洗浄装置の電気的構成を示す機能ブロック図である。
【図３】小便器洗浄装置による人体検出及び尿流検出を示すタイミングチャートである。
【図４】小便器の使用頻度と尿流検出時間と洗浄水量との関係を示す説明図である。
【図５】小便器洗浄装置の制御部が行う処理を示すフローチャートである。
【図６】小便器洗浄装置の制御部が行う処理を示すフローチャートである。
【図７】小便器洗浄装置の制御部が行う処理を示すフローチャートである。
【符号の説明】
【０１６１】
１  小便器洗浄装置
２  小便器
３  給水管
４  給水バルブ
５  ドップラセンサ
６  制御部
７  送信手段
８  受信手段
９  ミキサ手段
１０  定在波検出手段
１１  人体検出手段
１２  フィルタ手段
１３  尿流検出手段
１４  使用頻度検出手段
１５  尿流時間検出手段
１６  洗浄水量設定手段
１７  洗浄制御手段
Ｍ  送信波
ｍ  反射波
ＴＸ  使用頻度計測タイマのカウント値
ｔ  尿流検出タイマのカウント値
（Ｔ）、（Ｔ１）、（Ｔ２）、（Ｔ３）、（Ｔ４）  尿流検出動作の動作間隔を決定するための値
（ｂ１）、（ｂ２）、（ｂ３）  洗浄水量
【図１】
2008025266.tif 000003
【図２】
2008025266.tif 000004
【図３】
2008025266.tif 000005
【図４】
2008025266.tif 000006
【図５】
2008025266.tif 000007
【図６】
2008025266.tif 000008
【図７】
2008025266.tif 000009